(57)【要約】【課題】建物の磁化の最も強い位置、極性および強度を正確、簡単に軽作業で検知することができ、消磁作業の迅速化を図る。【解決手段】支持部材２上に一定の間隔をもって且つ対向する位置に複数の磁気センサ３ａ、３ｂを配置し、前記支持部材の中央部には、前記磁気センサの検出値を表示する表示部４を配置した磁気検知装置１であり、この磁気検知装置１を移動させることにより、磁化の最も強い位置、極性および強度を求め、この結果に基づいて消磁コイルの位置を決め、反対の極性の磁界を印加することにより消磁を行う。【選択図】図１
2004247395.tif 000002
【特許請求の範囲】
【請求項１】
支持部材上に一定の間隔をもって且つ対向する位置に複数の磁気センサを配置し、前記支持部材の中央部には、前記磁気センサの検出値を表示する表示部を配置したことを特徴とする建物の消磁に用いる磁気検知装置。
【請求項２】
請求項１記載の磁気検知装置を移動させることにより、磁化の最も強い位置、極性および強度を求め、この結果に基づいて消磁コイルの位置を決め、反対の極性の磁界を印加することにより消磁を行うことを特徴とする建物の消磁方法。
【発明の詳細な説明】
【０００１】
【発明の属する技術分野】
本発明は、建築物における床スラブ、壁等の広い部位を消磁する技術に関する。
【０００２】
【従来の技術】
建物の建築中に、例えば鉄筋や鉄骨の搬送中に電磁石が使用されたり、溶接時の通電により、鉄筋や鉄骨が磁化されこれが残留磁界として残り、これらの残留磁界が建物の室内にも拡がり、コンピュータのＣＲＴディスプレイに色ずれが生じることがある。
【０００３】
従来、例えば、特開平２００１−４４０２９号公報においては、磁気センサにより床面の磁化の強い位置および方向を検知して、脱磁コイルを床面に配置し、そこで交番減衰電流を流すことにより、床を消磁する方法が知られている。また、この消磁作業の迅速化および作業コストの低減を目的として、特開２００２−３１３６２８、特開２００２−７７９５３に示すように磁気センサの軽量化を図るための提案がなされている。
【０００４】
【特許文献１】特開平２００１−４４０２９号公報
【特許文献２】特開２００２−３１３６２８
【特許文献３】特開２００２−７７９５３
【０００５】
【発明が解決しようとする課題】
しかしながら、従来の方法においては、重量のある磁気センサを頻繁に移動して磁気の強い位置を判定する作業を必要とし、そのためにセンサを持って移動する作業、すなわち磁界のチェックに多大の時間を要するとともに、作業者の肉体的疲労が大きいという問題を有している。また、磁気センサ自体も大きなコイルを用いているため、ハンドリングが面倒であった。
【０００６】
本発明は、上記従来の問題を解決するものであって、建物の磁化の最も強い位置、極性および強度を正確、簡単に軽作業で検知することができ、消磁作業の迅速化を図ることができる建物の消磁に用いる磁気検知装置および消磁方法を提供することを目的とする。
【０００７】
【課題を解決するための手段】
上記目的を達成するために、本発明の建物の消磁に用いる磁気検知装置は、支持部材上に一定の間隔をもって且つ対向する位置に複数の磁気センサを配置し、前記支持部材の中央部には、前記磁気センサの検出値を表示する表示部を配置したことを特徴とする。
また、本発明の建物の消磁方法は、請求項１記載の磁気検知装置を移動させることにより、磁化の最も強い位置、極性および強度を求め、この結果に基づいて消磁コイルの位置を決め、反対の極性の磁界を印加することにより消磁を行うことを特徴とする
【０００８】
【発明の実施の形態】
以下、本発明の実施の形態を図面に基づいて説明する。図１は、本発明の建物の消磁に用いる磁気検知装置の１実施形態を示し、図（Ａ）は斜視図、図（Ｂ）は表示部の平面図である。
【０００９】
本発明者による研究により、消磁コイルの設置位置は、磁化の最も強い位置をコイル（例えば１ｍ角）の中央に正確に位置決めすることで作業効率が上がることが判った。また、コイルを小さくしても（例えば５０ｃｍ角）消磁の効果があがることが判った。逆に、消磁の最強でない位置にコイルをセットすると、場合により消磁効果が上がらないこともある。
【００１０】
そこで、本発明は、磁化の最も強い位置を判定するための磁気センサを開発することにより、迅速に磁化の最も強い位置、極性および強度を求め、この結果に基づいて使用する消磁コイルの位置を決め、また、反対の極性の磁界を印加することにより消磁を迅速に行うものである。
【００１１】
図１（Ａ）において、磁気検知装置１は、１本のロッド状の支持部材２の両端に間隔を空けて磁気センサ３ａ、３ｂが配設され、支持部材２の中央部には、磁気センサ３ａ、３ｂの検出値を表示する表示部４が配設されている。支持部材２の長さは例えば２０ｃｍ程度としている。
【００１２】
次に、検知方法について説明する。図１（Ｂ）に示すように、２つの磁気センサ３ａ、３ｂの検出値は表示部４に表示され、その値をそれぞれＶ１、Ｖ２とし、Ｖ１＜Ｖ２とする。先ず、Ｖ１とＶ２の極性からその周囲がＮ極かＳ極かが判る。また、表示部４においてＶ１とＶ２の絶対値の大きい方が左右どちらにあるかを観測することにより、左右どちらの磁気が強いかが判る。そこで、Ｖ１とＶ２の値と極性を観測しながら磁気検知装置１を支持部材２の軸方向（図示Ｘ方向）に沿って磁気の強い方に移動することにより、磁化の最も強い位置を割り出すことができる。最強の位置に達したら、支持部材２を９０度回転して、支持部材２の軸方向で同様な動作を繰り返して平面的に最強の位置を迅速に検出することができる。
【００１３】
図２は、本発明の建物の消磁に用いる磁気検知装置の他の実施形態を示し、図（Ａ）は斜視図、図（Ｂ）は表示部の平面図である。本実施形態においては、支持部材２に直交するＹ方向に別の支持部材５を設け、支持部材５の両端に間隔を空けて磁気センサ３ｃ、３ｄを配設している。これにより、平面視で９０度間隔で磁気センサが配置されることになり、Ｘ方向、Ｙ方向の両方向にわたって磁化の最も強い位置を更に効率良く判定することができる。
【００１４】
なお、磁気センサの配置は、上記実施形態に限定されるものではなく、平面視で１２０度間隔や、更に細かく配置するようにしてもよい。なお、支持部材２はロッドに限定されるものではなく円板等でもよい。要するに、支持部材上に一定の間隔をもって対向する位置に複数の磁気センサを配置した点を特徴としている
。
【００１５】
次に、本発明の建物の消磁方法について説明する。図３（Ａ）は、上記の磁気検知装置１を床スラブ６上に配置、移動させた場合の磁界の勾配を示している。Ｉの位置ではＶ１＜Ｖ２、ＩＩの位置ではＶ１＝Ｖ２、ＩＩＩの位置ではＶ１＞Ｖ２とすると、ＩＩの位置が最も強度が大きいことが判る。そこで、図３（Ｂ）に示すように、この位置に消磁コイル７を設置し、この位置で逆極性の磁界を印加して消磁する。
【００１６】
以上のように、本発明に係る磁気検知装置１を例えば床の上に配置すると、どちらが磁気が強い方向かが判るので、その方向に磁気検知装置１を移動させてやがてその値が左右同じになり、更に左右の強い方が反対側になるので、容易に磁化の最強の位置にたどり着ける。さらに、その極性、強度も判るので、必要な減衰磁界強度も判る。そこで、割り出した磁化の最強位置に消磁コイルを置き、減衰磁界をかけることにより迅速に消磁を行うことができる。
【００１７】
【発明の効果】
以上の説明から明らかなように、本発明によれば、建物の磁化の最も強い位置、極性および強度を正確、簡単に軽作業で検知することができ、消磁作業の迅速化を図ることができる。
【図面の簡単な説明】
【図１】本発明の建物の消磁に用いる磁気検知装置の１実施形態を示し、図（Ａ）は斜視図、図（Ｂ）は表示部の平面図である。
【図２】本発明の建物の消磁に用いる磁気検知装置の他の実施形態を示し、図（Ａ）は斜視図、図（Ｂ）は表示部の平面図である。
【図３】本発明の建物の消磁方法の１実施形態を説明するための図である。
【符号の説明】
１…磁気検知装置、２、５…支持部材、３ａ〜３ｄ…磁気センサ、４…表示部
６…床スラブ、７…消磁コイル
【図１】
2004247395.tif 000003
【図２】
2004247395.tif 000004
【図３】
2004247395.tif 000005